(57)【要約】      （修正有）【課題】  複数のスイッチを一つに一体化するように構成することにより、構成及び組立作用を簡素化したデジタルカムコーダーの一体型多機能スイッチ装置を提供する。【解決手段】デジタルカムコーダーの一体型多機能スイッチ装置１１は、それぞれ、動作ボタンが外部に露出するようにカムコーダー１０の外ケース体１５に装着され、動作ボタンの動作状態によって中央処理装置が相応する機能を行うようにする多数のスイッチアセンブリ２１，３３，４０，４７と、多数のスイッチアセンブリ同士を少なくとも電気的に相互直列に接続する多数の第１の電気的接続部１８、及び多数のスイッチアセンブリのいずれかに電気的に接続され、メイン基板に形成された接続ソケットに接続される接続端子を備える第２の電気的接続部１９を含むスイッチユニットとを備える。第１及び第２の電気的接続部は、可撓性プリントケーブからなる。【選択図】      図２
2005260945.tif 000002
【特許請求の範囲】
【請求項１】
カムコーダーの動作を制御する中央処理装置を構成するメイン基板を含むデジタルカムコーダーの一体型多機能スイッチ装置において、
それぞれ、動作ボタンが外部に露出するように前記カムコーダーの外ケース体に装着され、前記動作ボタンの動作状態によって前記中央処理装置が相応する機能を行うようにする多数のスイッチアセンブリと；
前記多数のスイッチアセンブリ同士を少なくとも電気的に相互直列に接続する多数の第１の電気的接続部と；
前記多数のスイッチアセンブリのいずれかに電気的に接続され、前記メイン基板に形成された接続ソケットに接続される接続端子を備える第２の電気的接続部を含むスイッチユニットとを備えることを特徴とするデジタルカムコーダーの一体型多機能スイッチ装置。
【請求項２】
前記多数のスイッチアセンブリは、電源をオン／オフし、カメラモードとＶＣＲモードとを切り換える電源オン／オフ及びモード切換スイッチアセンブリ、被写体の撮像倍率を調節するズームスイッチアセンブリ、静止画を撮像するシャッタスイッチアセンブリ、及びシャッタのスピードに合わせてフラッシュまたはストロボが発光する時点を調節するスローシンクロモードを行うようにするスローシャッタスイッチアセンブリの少なくともいずれかを含むことを特徴とする請求項１に記載のデジタルカムコーダーの一体型多機能スイッチ装置。
【請求項３】
前記ズームスイッチアセンブリと前記シャッタスイッチアセンブリとは、相互一体に結合されるように構成されたことを特徴とする請求項２に記載のデジタルカムコーダーの一体型多機能スイッチ装置。
【請求項４】
前記第１及び第２の電気的接続部は、可撓性プリントケーブルを含むことを特徴とする請求項１に記載のデジタルカムコーダーの一体型多機能スイッチ装置。
【請求項５】
前記外ケース体の部分を構成し、前記多数のスイッチアセンブリを固定するスイッチ装着フレーム体を更に含むことを特徴とする請求項１に記載のデジタルカムコーダーの一体型多機能スイッチ装置。
【発明の詳細な説明】
【技術分野】
【０００１】
本発明は、デジタルカムコーダーのスイッチ装置に係り、より詳しくは、デジタルカムコーダーに使用される複数のスイッチ、例えば、電源オン／オフ及びモード切換スイッチ、ズームスイッチ等を一つに一体化したデジタルカムコーダーの一体型多機能スイッチ装置に係る。
【背景技術】
【０００２】
一般に、デジタルカムコーダーは、カムコーダーの動作を制御する中央処理装置、及びオン／オフ状態によって中央処理装置が相応する機能を行うように多数のスイッチ、例えば、電源をオン／オフしカメラモードとＶＣＲモードとを切り換える電源オン／オフ及びモード切換スイッチ、被写体の撮像倍率を調節するズームスイッチ等を備える。
【０００３】
これらのスイッチのそれぞれは、通常、動作ボタンが外部に露出するようにカムコーダーの外ケース体に装着されたスイッチアセンブリ、及びスイッチアセンブリをカムコーダーの動作を制御する中央処理装置に接続すべく中央処理装置を構成するメイン基板の接続ソケットにスイッチアセンブリを接続する可撓性プリントケーブル（ＦＰＣ）からなる。
【０００４】
従って、従来のカムコーダーは、それぞれのスイッチのＦＰＣがメイン基板の該当接続ソケットに接続された構造を有するため、内部構成が複雑であるのみならず、スイッチの組立時、それぞれのスイッチアセンブリを外ケース体に一々装着した後、再びそれぞれのＦＰＣをメイン基板の該当接続ソケットに接続する作業を必要とするため、生産時における作業効率が劣化し、それにより、生産性が低下するという問題点があった。
【０００５】
また、最近では、消費者の多様なニーズに応じて、被写体を撮像し、その静止画信号をメモリカードに書き込んでプリンタで印画したり、ＰＣ等を介して再生するデジタルチルカメラを一体に組み込んだデジタルカムコーダーが開発されている。
【０００６】
この種のデジタルスチルカメラ一体型カムコーダーは、デジタルスチルカメラの機能を行うために電源オン／オフ及びモード切換スイッチとズームスイッチの他、静止画を撮像するシャッタスイッチ、シャッタのスピードに合わせてフラッシュまたはストロボが発光する時点を調節するスローシンクロモードを行うようにするスローシャッタスイッチを更に含む。
【０００７】
従って、デジタルスチルカメラ一体型カムコーダーは、それぞれのスイッチのＦＰＣによりデジタルスチルカメラを組み込んでいない既存のカムコーダーに比べて内部構成がより複雑になり、また、スイッチの組立時、それぞれのスイッチアセンブリ及び可撓性プリントケーブルをケース体及び基板の該当接続ソケットに組み付ける作業に手間がかかるため、生産時における作業効率の低下及びそれにより生産性が更に低下するようになる。
【発明の開示】
【発明が解決しようとする課題】
【０００８】
本発明は、前記のような問題点を解決するためになされたものであって、本発明の主な目的は、デジタルカムコーダーに使用される複数のスイッチ、例えば、電源オン／オフ及びモード切換スイッチとズームスイッチ及び／またはシャッタスイッチとスローシャッタスイッチを一つに一体化するように構成することにより、構成及び組立作用を簡素化したデジタルカムコーダーの一体型多機能スイッチ装置を提供することである。
【課題を解決するための手段】
【０００９】
前記目的を達成するために、本発明は、カムコーダーの動作を制御する中央処理装置を構成するメイン基板を含むデジタルカムコーダーの一体型多機能スイッチ装置において、それぞれ、動作ボタンが外部に露出するようにカムコーダーの外ケース体に装着され、動作ボタンの動作状態によって中央処理装置が相応する機能を行うようにする多数のスイッチアセンブリと、多数のスイッチアセンブリ同士を少なくとも電気的に相互直列に接続する多数の第１の電気的接続部、及び多数のスイッチアセンブリのいずれかに電気的に接続され、メイン基板に形成された接続ソケットに接続される接続端子を備える第２の電気的接続部を含むスイッチユニットと、を備えることを特徴とするデジタルカムコーダーの一体型多機能スイッチ装置を提供する。
【００１０】
好適な実施例において、多数のスイッチアセンブリは、電源をオン／オフし、カメラモードとＶＣＲモードとを切り換える電源オン／オフ及びモード切換スイッチアセンブリ、被写体の撮像倍率を調節するズームスイッチアセンブリ、静止画を撮像するシャッタスイッチアセンブリ、及びシャッタのスピードに合わせてフラッシュまたはストロボが発光する時点を調節するスローシンクロモードを行うようにするスローシャッタスイッチアセンブリの少なくともいずれかを含む。この時、多数のスイッチアセンブリが、ズームスイッチアセンブリとシャッタスイッチアセンブリを含む場合、ズームスイッチアセンブリとシャッタスイッチアセンブリとは、相互一体に結合されるように構成されることが好ましい。
【００１１】
なお、第１及び第２の電気的接続部は、可撓性プリントケーブルからなることが好ましい。
【００１２】
また、本発明の一体型多機能スイッチ装置は、外ケース体の部分を構成し、多数のスイッチアセンブリを固定するスイッチ装着フレーム体を更に含むことができる。
【発明の効果】
【００１３】
本発明のデジタルカムコーダーの一体型多機能スイッチ装置は、電源オン／オフスイッチ、モード切換スイッチ、ズームスイッチ、シャッタスイッチ及び/またはスローシャッタスイッチを一つに一体化するように構成することにより、構造及び組立作業を簡素化する効果を奏する。
【発明を実施するための最良の形態】
【００１４】
以下、本発明に係るデジタルカムコーダーの一体型多機能スイッチ装置について、添付した図面を参照して詳しく説明すると、次の通りである。
【００１５】
図１は、本発明に係る一体型多機能スイッチ装置が適用されたデジタルカムコーダー１０を例示する。
【００１６】
このデジタルカムコーダー１０は、動画を撮像するためのビデオカメラ部３と静止画を撮像するためのデジタルスチルカメラ部４を上下に配置して一体に組み付けてなるカメラユニット２と、外ケース体１５内に配されカムコーダーの動作を制御する中央処理装置を構成するメイン基板（図示せず）、及び動作ボタン２３、２４、３４、４１、４８の動作状態によって中央処理装置が相応する機能を行うようにする本発明の一体型多機能スイッチ装置１１を含むデジタルスチルカメラ一体型のデジタルカムコーダーである。
【００１７】
図２に示すように、本発明の一体型多機能スイッチ装置１１は、スイッチユニット２０と、カムコーダー１０の外ケース体１５を構成しスイッチユニット２０を装着するスイッチ装着フレーム体７０とを備える。
【００１８】
スイッチユニット２０は、それぞれ、動作ボタン２３、２４、３４、４１、または４８が外部に露出されるようにスイッチ装着フレーム体７０に装着され、動作ボタン２３、２４、３４、４１または４８の動作状態によって中央処理装置が相応する機能を行うようにする第１、第２、第３、及び第４のスイッチアセンブリ２１、３３、４０、４７と、第１、第２、第３、及び第４のスイッチアセンブリ２１、３３、４０、４７同士を電気的に相互直列に接続する第１の電気的接続部１８、及び第１のスイッチアセンブリ２１に電気的に接続され、メイン基板に形成された接続ソケット（図示せず）に接続される接続端子６３を備える第２の電気的接続部１９と、からなる。
【００１９】
第１のスイッチアセンブリ２１は、スイッチ装着フレーム体７０の一側面に配されたカムコーダー１０の電源をオン／オフする電源オン／オフボタン２３、電源オン／オフボタン２３に隣接して配されたビデオカメラモード、ＶＣＲモードとデジタルスチルカメラモードとを切り換えるモード切換レバー２４、及び電源オン／オフボタン２３とモード切換レバー２４の動作によって中央処理装置に相応するスイッチ信号を送って該当機能を行うようにする一般に公知のスイッチング回路部（図示せず）を含む第１の本体部２５を備え、スイッチ装着フレーム体７０に形成された第１の開口８１を通して外部に露出されるように第１の本体部２５に形成された三つの第１の固定ブラケット２６、２７、３０と第１のネジ２８、２９、３１（図３）によりスイッチ装着フレーム体７０に固定される。
【００２０】
第２のスイッチアセンブリ３３は、静止画を撮像するシャッタボタン３４、及びシャッタボタン３４の動作によって中央処理装置に相応するスイッチ信号を送ってデジタルスチルカメラ部４のシャッタを調節する公知のスイッチング回路部（図示せず）を含む第２の本体部３５を備え、シャッタボタン３４がスイッチ装着フレーム体７０に形成された第１の孔８２を通して外部に露出されるように第２の本体部３５に形成された第２の固定ブラケット３６と第２のネジ３７によりスイッチ装着フレーム体７０に固定される。
【００２１】
第３のスイッチアセンブリ４０は、被写体の撮像倍率を調節するズームボタン４１、ズームボタン４１の動作によって中央処理装置に相応するスイッチ信号を送って被写体の撮像倍率を調節する機能を行うようにする公知のスイッチング回路部（図示せず）を含む第３の本体部４２を備え、ズームボタン４１がスイッチ装着フレーム体７０に形成された第２の開口８３を通して外部に露出されるように第３の本体部４２に形成された第３の固定ブラケット４３（図３）と第３のネジ４５によりスイッチ装着フレーム体７０に固定される。
【００２２】
第２のスイッチアセンブリ３３と第３のスイッチアセンブリ４０とは、相互隣接して配されるため、固定板４６と固定ネジ（図示せず）のような固定部により第２及び第３の本体部３５、４２が相互一体に結合されるように構成されることが好ましい。
【００２３】
第４のスイッチアセンブリ４７は、シャッタのスピードに合わせてフラッシュまたはストロボが発光する時点を調節するスローシンクロモードを行うようにするスローシャッタボタン４８、及びスローシャッタボタン４８の動作によって中央処理装置に相応するスイッチ信号を送ってデジタルスチルカメラ部４のシャッタのスピードを調節する公知のスイッチング回路部（図示せず）を含む第４の本体部４９を備え、スローシャッタボタン４８がスイッチ装着フレーム体７０が形成された第２のホール８４を通して外部に露出されるように第４の本体部４９を保持する保持板５０に形成された二つの第４の固定ブラケット５１、５２と三つの第４のネジ５３、５４、５５によりスイッチ装着フレーム体７０に固定される。
【００２４】
第１の電気的接続部１８は、第１及び第２のスイッチアセンブリ２１、３３の第１及び第２の本体部２５、３５のスイッチング回路部を相互直列に接続する第１のＦＰＣ５９と、第２及び第３のスイッチアセンブリ３３、４０の第２及び第３の本体部３５、４２のスイッチング回路部を相互直列に接続する第２のＦＰＣ６０、及び第３及び第４のスイッチアセンブリ４０、４７の第３及び第４の本体部４２、４９のスイッチング回路部を相互直列に接続する第３のＦＰＣ６１と、からなる。
【００２５】
第３のＦＰＣ６１は、第１及び第２のＦＰＣ５９、６０より長く延在するため、他の構成部品の組立時において邪魔にならないように第１及び第２のＦＰＣ固定ネジ６５、６９（図３）で第１及び第２のＦＰＣ貫通孔６６、６７（図２）を通してスイッチ装着フレーム体７０の第１及び第２のＦＰＣ固定孔７４、７４に固定することが好ましい。
【００２６】
また、第３のＦＰＣ６１は、第１及び第２のＦＰＣ固定ネジ６５、６９によりスイッチ装着フレーム体７０に容易に固定できるように第１及び第２のＦＰＣ５９、６０より物理的に強固で厚くしてなるか、または補強部（図示せず）を有してなることが好ましい。
【００２７】
第２の電気的接続部１９は、第１のスイッチアセンブリ２１の第１の本体部２５のスイッチング回路部に電気的に接続され、メイン基板に形成された接続ソケット（図示せず）に接続される接続端子６３を備える第４のＦＰＣ６２からなる。
【００２８】
以上で説明したように、本発明の一体型多機能スイッチ装置１１が、メイン基板に形成された接続ソケットに接続する接続端子６３を備えるＦＰＣが第４のＦＰＣ６２の一つで構成されるため、従来のスイッチ装置に比べて構造が簡素化するのみならず、組立作業の時におけるＰＦＣ接続端子をメイン基板に形成された接続ソケットに接続する作業工数も大幅に減少する。
【００２９】
また、本発明の一体型多機能スイッチ装置１１は、第１、第２、第３、及び第４のスイッチアセンブリ２１、３３、４０、４７が第１、第２及び第３のＦＰＣ５９、６０、６１により一体に接続されるため、組立作業の時、各スイッチを一つずつとってケース体に組み付けなければならなかった従来のスイッチ装置とは異なって、一度で第１、第２、第３及び第４のスイッチアセンブリ２１、３３、４０、４７をとってスイッチ装着フレーム体７０に装着することができるため、作業効率が遥かに向上する。
【００３０】
また、本発明の一体型多機能スイッチ装置１１は、第１、第２、第３及び第４のスイッチアセンブリ２１、３３、４０、４７を装着するスイッチ装着フレーム体７０が外ケース体１５の部分を形成するように構成されるため、予め多機能スイッチ装置１１の全体を組み立てた後にセット組立工程に投入することができるため、カムコーダーのセット組立工程の所要時間を減らすことができる。
【００３１】
以上、本発明の一体型多機能スイッチ装置１１は、電源オン／オフ及びモード切換スイッチ機能、ズームスイッチ機能、シャッタスイッチ機能、及びスローシャッタスイッチ機能のいずれをも含むデジタルスチルカメラ一体型デジタルカムコーダーに適用されるものとしてのみ説明したが、本発明は、これに限定されることではなく、同一の構成と原理で電源オン／オフ及びモード切換スイッチ機能とズームスイッチ機能だけを含むデジタルスチルカメラ部４が組み付けられていない一般のデジタルカムコーダーに適用され、構成及び組立作業を簡易化するのに使用することもできる。
【００３２】
以上で説明したように構成された本発明の一体型多機能スイッチ装置１１の組立過程について、図２及び図３に基づいて詳細に説明すると、次の通りである。
【００３３】
まず、図２に示すように、第１、第２、第３及び第４のスイッチアセンブリ２１、３３、４０、４７が第１、第２及び第３のＦＰＣ５９、６０、６１により一体に接続されたスイッチユニットを用意する。
【００３４】
次いで、第１、第２、第３及び第４のスイッチアセンブリ２１、３３、４０、４７の電源オン／オフボタン２３とモード切換レバー２４、シャッタボタン３４、ズームボタン４１、及びスローシャッタボタン４８が、相応する第１の開口８２、第１のホール８２、第２の開口８３、及び第２のホール８４を挿通し、第１、第２、第３及び第４の固定ブラケット２６、２７、３０；３６；４３；５１、５２の第１の貫通孔７９、６８（図２中に三つのうちの二つだけを示す）、第２の貫通孔３８、第３の貫通孔（図示せず）、及び第４の貫通孔５６、５７、５８が、スイッチ装着フレーム体７０に形成された第１の固定孔７１（一つだけを示す）、第２の固定孔７２、第３の固定孔７３、及び第４の固定孔７６、７７、７８と向かい合って並んでいる。
【００３５】
次いで、第１、第２、第３及び第４のネジ２８、２９、３１；３７；４５；５３、５４、５５が、第１の貫通孔７９、６８、第２の貫通孔３８、第３の貫通孔、及び第４の貫通孔５６、５７、５８を挿通して第１の固定孔７１、第２の固定孔７２、第３の固定孔７３、及び第４の固定孔７６、７７、７８に固定され、第１及び第２のＦＰＣ固定ネジ６５、６９は、第１及び第２のＦＰＣ貫通孔６６、６７を挿通して第１及び第２のＦＰＣ固定孔７４、７５にねじ止めされ、これにより、第１、第２、第３及び第４のスイッチアセンブリ２１、３３、４０、４７と第３のＦＰＣ６１は、スイッチ装着フレーム体７０に固定される。
【００３６】
この状態で、第４のＦＰＣ６２の接続端子６３がメイン基板に形成された接続ソケットに接続された後、スイッチ装着フレーム体７０が外ケース体１５に組み付けられると、本発明の一体型多機能スイッチ装置１１の組立が完了する。
【００３７】
以上、本発明の特定の好適な実施例について図示し説明したが、本発明は、上述した実施例に限定されるものではなく、特許請求の範囲で請求する本発明の要旨を逸脱することなく当該発明に属する技術分野において通常の知識を有する者であれば誰でも種々の修正と変形実施が可能である。
【産業上の利用可能性】
【００３８】
本発明は、デジタルカムコーダーのスイッチ装置に適用され、複数のスイッチ、例えば、電源オン／オフ及びモード切換スイッチ、ズームスイッチ等を一つに一体化するのに使用することができる。
【図面の簡単な説明】
【００３９】
【図１】本発明に係る一体型多機能スイッチ装置が適用されたデジタルカムコーダーの斜視図である。
【図２】図１に示すデジタルカムコーダーの一体型多機能スイッチ装置の分解斜視図である。
【図３】図２に示す一体型多機能スイッチ装置の組立正面図である。
【符号の説明】
【００４０】
２    カメラユニット
３    ビデオカメラ部
４    デジタルスチルカメラ部
１０  カムコーダー
１１  一体型多機能スイッチ装置
１５  外ケース体
１８、１９  電気的接続部
２０  スイッチユニット
２１、３３、４０、４７  スイッチアセンブリ
２３、２４、３４、４１、４８  ボタン
５９、６０、６１、６２  ＦＰＣ
６３  接続端子
７０  スイッチ装着フレーム体
８１、８３  開口
８２、８４  ホール
【図１】
2005260945.tif 000003
【図２】
2005260945.tif 000004
【図３】
2005260945.tif 000005